(57)【要約】【課題】被印刷物の印刷をオンラインで注文し、店頭端末で印刷する注文認証方法及び該方法を実行するためのサーバであって、セキュリティの高いものを提供すること。【解決手段】注文認証方法は、サーバ１０により、ユーザから被印刷物の印刷の注文を受信し、注文を識別する注文番号をユーザが操作可能なユーザ端末２０に送信し、サーバに通信可能に接続された店頭端末３０により、ユーザにより店頭端末に入力される注文番号と店頭端末に付された第１端末番号とをサーバに送信し、サーバにより、注文番号と第１端末番号とに対応する解除番号をユーザ端末に送信し、サーバに通信可能に接続された店頭端末により、ユーザにより店頭端末に入力される解除番号と店頭端末に付された第２端末番号とをサーバに送信し、及びサーバにより、注文番号並びに第１及び第２端末番号を用いて解除番号を認証して、写真の画像データを第２端末番号が付された店頭端末に送信する。【選択図】図１
2016212768.tif 000002
【特許請求の範囲】
【請求項１】
被印刷物の印刷の注文をオンラインで受け付け、店頭端末で印刷するための注文認証方法であって、
サーバにより、ユーザ端末から被印刷物の印刷の注文を受信し、前記注文を識別する注文番号を前記ユーザ端末に送信する第１ステップと、
前記サーバに通信可能に接続された店頭端末により、前記店頭端末に入力される前記注文番号と該店頭端末に付された第１端末番号とを前記サーバに送信する第２ステップと、
前記サーバにより、前記注文番号と前記第１端末番号とに対応する解除番号を前記ユーザ端末に送信する第３ステップと、
前記サーバに通信可能に接続された店頭端末により、前記ユーザにより前記店頭端末に入力される前記解除番号と該店頭端末に付された第２端末番号とを前記サーバに送信する第４ステップと、
前記サーバにより、前記第１及び第２端末番号を用いて前記解除番号を認証して、前記認証に成功した場合に前記被印刷物のデータを前記第２端末番号が付された店頭端末に送信する第５ステップとを含むことを特徴とする、注文認証方法。
【請求項２】
前記認証は、前記第２端末番号が前記第１端末番号に一致し且つ前記解除番号が前記注文番号及び前記第１端末番号に対応することによって成功とすることを特徴とする、請求項１に記載の注文認証方法。
【請求項３】
前記第３ステップにおいて、前記店頭端末は、前記解除番号と前記第２端末番号とともに、前記ユーザにより前記店頭端末に入力される前記注文番号を前記サーバに送信することを特徴とする、請求項１又は２に記載の注文認証方法。
【請求項４】
前記ユーザ端末は、モバイル端末であり、
前記第３ステップにおいて、前記サーバは前記解除番号を電子メールにより前記ユーザ端末に送信することを特徴とする、請求項１から３のいずれか一項に記載の注文認証方法。
【請求項５】
前記被印刷物は、少なくとも画像を含むデジタルコンテンツであり、
前記第１ステップにおいて、前記サーバは前記注文とともに前記被印刷物を受信することを特徴とする、請求項１から４のいずれか一項に記載の注文認証方法。
【請求項６】
前記被印刷物は、前記サーバに保持されている又は前記サーバにおいて生成されるデジタルコンテンツであり、
前記第１ステップにおいて、前記サーバは前記注文とともに前記被印刷物の指定を受信することを特徴とする、請求項１から４のいずれか一項に記載の注文認証方法。
【請求項７】
被印刷物の印刷の注文をオンラインで受け付け、店頭端末で印刷するための注文認証方法に用いられるサーバであって、
ユーザ端末から被印刷物の印刷の注文を受信し、前記注文を識別する注文番号を前記ユーザ端末に送信する第１手段と、
店頭端末から前記注文番号と該店頭端末に付された第１端末番号とを受信する第２手段と、
前記注文番号と前記第１端末番号とに対応する解除番号を前記ユーザ端末に送信する第３手段と、
店頭端末から、前記解除番号と該店頭端末に付された第２端末番号とを受信する第４手段と、
受信した前記第１及び第２端末番号を用いて前記解除番号を認証して、前記認証に成功した場合に前記被印刷物のデータを前記第２端末番号が付された店頭端末に送信する第５手段とを備えることを特徴とする、サーバ。
【請求項８】
前記認証は、前記第２端末番号が前記第１端末番号に一致し且つ前記解除番号が前記第１端末番号に対応することによって成功とすることを特徴とする、請求項７に記載のサーバ。
【請求項９】
前記第４手段は、前記解除番号と前記第２端末番号とともに、前記注文番号を受信することを特徴とする、請求項７又は８に記載のサーバ。
【発明の詳細な説明】
【技術分野】
【０００１】
本発明は、被印刷物の印刷の注文をオンラインで受け付け、店頭端末で印刷するための注文認証方法及び該方法を実行するためのサーバに関する。
【背景技術】
【０００２】
デジタルカメラ等を用いて撮影した写真等を含む被印刷物の印刷を、店頭に出向くことなく、例えば自宅のパソコン等からオンラインで注文するサービスが広まっている。
【０００３】
例えば、特許文献１には、ユーザが写真の印刷をオンラインで注文すると、サーバがその注文とともにユーザから写真の画像データを受信し、その画像データを店頭に設置された店頭端末に送信し、店頭端末が受信した画像データを用いて写真を印刷する印刷発注システムが開示されている。また、ユーザ自身が、注文後、店頭に出向き自ら店頭端末を操作することで写真等の被印刷物を印刷するシステムも広まっている。
【０００４】
かかるシステムにおいて、注文時に複数桁の番号からなる注文番号を発行し、ユーザが店頭端末を操作する際に注文番号の入力を求めることでユーザの注文を誤ることなく識別するシステムが広く採用されている。しかし、注文番号が他人に知られて悪用されるなど、セキュリティの脆弱性が問題となる。
【先行技術文献】
【特許文献】
【０００５】
【特許文献１】特開２００２−０４９７９７号公報
【発明の概要】
【発明が解決しようとする課題】
【０００６】
本発明は、被印刷物の印刷をオンラインで注文し、店頭端末で印刷する注文認証方法及び該方法を実行するためのサーバであって、セキュリティの高いものを提供することを課題とする。
【課題を解決するための手段】
【０００７】
本発明の注文認証方法は、
被印刷物の印刷の注文をオンラインで受け付け、店頭端末で印刷するための注文認証方法であって、
サーバにより、ユーザ端末から被印刷物の印刷の注文を受信し、前記注文を識別する注文番号を前記ユーザ端末に送信する第１ステップと、
前記サーバに通信可能に接続された店頭端末により、前記店頭端末に入力される前記注文番号と該店頭端末に付された第１端末番号とを前記サーバに送信する第２ステップと、
前記サーバにより、前記注文番号と前記第１端末番号とに対応する解除番号を前記ユーザ端末に送信する第３ステップと、
前記サーバに通信可能に接続された店頭端末により、前記ユーザにより前記店頭端末に入力される前記解除番号と該店頭端末に付された第２端末番号とを前記サーバに送信する第４ステップと、
前記サーバにより、前記第１及び第２端末番号を用いて前記解除番号を認証して、前記認証に成功した場合に前記被印刷物のデータを前記第２端末番号が付された店頭端末に送信する第５ステップとを含むことを特徴とする。
【０００８】
この特徴によれば、サーバは、被印刷物をサーバから店頭端末に送信するための解除番号を、ユーザにより店頭端末に入力された注文番号がその店頭端末に付された第１端末番号とともに店頭端末から送信されることに応じて、ユーザ端末に送信する。それにより、解除番号が、注文番号と独立に、サーバからユーザ端末に送信されるため、セキュリティが向上する。
【０００９】
本発明の注文認証方法は、
前記認証は、前記第２端末番号が前記第１端末番号に一致し且つ前記解除番号が前記注文番号及び前記第１端末番号に対応することによって成功とすることを特徴とする。
【００１０】
この特徴によれば、第２端末番号が第１端末番号に一致し且つ解除番号が注文番号及び第１端末番号に対応することを確認することで解除番号が認証される。それにより、ユーザが注文番号を入力した店頭端末と解除番号を入力した店頭端末とが一致しない又は解除番号が注文番号及び第１端末番号に対応しないと解除番号は認証されないことで、セキュリティが向上する。
【００１１】
本発明の注文認証方法は、
前記第３ステップにおいて、前記店頭端末は、前記解除番号と前記第２端末番号とともに、前記ユーザにより前記店頭端末に入力される前記注文番号を前記サーバに送信することを特徴とする。
【００１２】
この特徴によれば、注文番号の入力された店頭端末以外の端末から解除番号を送信することができず、セキュリティが更に向上する。
【００１３】
本発明の注文認証方法は、
前記ユーザ端末は、モバイル端末であり、
前記第３ステップにおいて、前記サーバは前記解除番号を電子メールにより前記ユーザ端末に送信することを特徴とする。
【００１４】
この特徴よれば、ユーザは、店頭端末の近くにおいて解除番号を受信して、店頭端末を操作することができる。
【００１５】
本発明の注文認証方法は、
前記被印刷物は、少なくとも画像を含むデジタルコンテンツであり、
前記第１ステップにおいて、前記サーバは前記注文とともに前記被印刷物を受信することを特徴とする。
【００１６】
この特徴によれば、ユーザが有するデジタルコンテンツの印刷をオンラインで注文することができる。
【００１７】
本発明の注文認証方法は、
前記被印刷物は、前記サーバに保持されている又は前記サーバにおいて生成されるデジタルコンテンツであり、
前記第１ステップにおいて、前記サーバは前記注文とともに前記被印刷物の指定を受信することを特徴とする。
【００１８】
この特徴によれば、サーバに保存された画像コンテンツ（例えばカレンダー）の印刷をオンラインで注文することができ、また、注文に依存して変化する被印刷物（例えば座席の指定されたコンサート入場券）をオンラインで注文することができる。
【００１９】
本発明のサーバは、
被印刷物の印刷の注文をオンラインで受け付け、店頭端末で印刷するための注文認証方法に用いられるサーバであって、
ユーザ端末から被印刷物の印刷の注文を受信し、前記注文を識別する注文番号を前記ユーザ端末に送信する第１手段と、
店頭端末から前記注文番号と該店頭端末に付された第１端末番号とを受信する第２手段と、
前記注文番号と前記第１端末番号とに対応する解除番号を前記ユーザ端末に送信する第３手段と、
店頭端末から、前記解除番号と該店頭端末に付された第２端末番号とを受信する第４手段と、
受信した前記第１及び第２端末番号を用いて前記解除番号を認証して、前記認証に成功した場合に前記被印刷物のデータを前記第２端末番号が付された店頭端末に送信する第５手段とを備えることを特徴とする。
【００２０】
上述の注文認証方法を実施することのできるサーバである。ここで、第１〜５手段は、それぞれ上述の注文認証方法における第１〜５ステップを実施するものである。
【００２１】
本発明のサーバは、
前記認証は、前記第２端末番号が前記第１端末番号に一致し且つ前記解除番号が前記注文番号及び前記第１端末番号に対応することによって成功とすることを特徴とする。
【００２２】
この特徴によれば、第２端末番号が第１端末番号に一致し且つ解除番号が第１端末番号に対応することを確認することで解除番号が認証される。それにより、ユーザが注文番号を入力した店頭端末と解除番号を入力した店頭端末とが一致しない又は解除番号が第１端末番号に対応しないと解除番号は認証されないことで、セキュリティが向上する。
【００２３】
本発明のサーバは、
前記第４手段は、前記解除番号と前記第２端末番号とともに、前記注文番号を受信することを特徴とする。
【００２４】
この特徴によれば、注文番号の入力された店頭端末以外の端末から解除番号を送信することができず、セキュリティが更に向上する。
【発明の効果】
【００２５】
本発明の注文認証方法及び注文認証システムによれば、セキュリティを向上することが可能となる。
【図面の簡単な説明】
【００２６】
【図１】図１は、注文認証システムの構成を示すブロック図である。
【図２】図２は、注文認証システムにおける注文認証手順を示すフローチャートである。
【発明を実施するための形態】
【００２７】
本発明の一実施形態について説明する。
【００２８】
図１に、本実施形態の注文認証システム１の構成を示す。注文認証システム１は、被印刷物の印刷をオンラインで受け付け、店頭端末で印刷するシステムであり、ネットワーク５０を介して相互に通信可能に接続されたサーバ１０、少なくとも１つのユーザ端末２０、および複数の店頭端末３０から構成される。なお、本実施形態では、被印刷物は一例として写真とし、ユーザが、自己の所有するユーザ端末２０を用いて、その中に画像データが記憶された写真の印刷を注文するものとする。
【００２９】
サーバ１０は、ユーザからの写真の印刷の注文を受けて、店頭端末に写真の画像データを送信するシステムの中枢であり、中央処理装置（ＣＰＵ）を含む制御装置１１、記憶装置１２、及び通信装置１３を有する。
【００３０】
制御装置１１は、注文認証プログラムを実行することにより、サーバ１０に、注文認証方法を実行するサーバ機能を発現させる。なお、注文認証プログラムは、例えば、ＲＯＭ（不図示）に記憶され、それをＣＰＵ１１が読み込む、或いはＣＤ−ＲＯＭ等の記憶媒体に記憶され、それをＣＰＵ１１が読み取り装置を用いて読み込むことができる。注文認証プログラムには、注文受信・注文番号発行手段（第１手段）１１ａ、注文番号・第１端末番号受信手段（第２手段）１１ｂ、解除番号発行手段（第３手段）１１ｃ、注文番号・第２端末番号受信手段（第４手段）１１ｄ及び解除番号認証手段（第５手段）１１ｅが含まれる。
【００３１】
記憶装置１２は、ユーザからの写真の印刷の注文および印刷する写真の画像データを記憶するメモリ、ハードディスクドライブ（ＨＤＤ）等の記憶装置であり、サーバ１０に備えられている。なお、ＬＡＮ等のネットワークを介してサーバ１０に接続されているものとしてもよい。
【００３２】
通信装置１３は、ネットワーク５０を介してユーザ端末２０及び複数の店頭端末３０と相互に通信する手段であり、一例としてＴＣＰ／ＩＰ等のプロトコルを利用して通信することができる。また、通信装置１３は、電子メールを送信することもできる。
【００３３】
ユーザ端末２０は、ユーザが所持し操作可能な携帯電話機（スマートフォンを含む）、タブレットコンピュータ等のモバイル端末であり、写真を記憶するメモリ等の記憶装置、サーバ１０に写真の印刷を注文し、サーバ１０からの電子メールを受信する通信装置を有している。
【００３４】
複数の店頭端末３０は、店頭に設置され、ユーザにより操作されて写真を印刷する端末であり、制御装置３１、入力装置３２、通信装置３３及び印刷装置３４を含む。
【００３５】
制御装置３１は、店頭端末３０の構成各部を制御する機能部であり、一例として、リードオンリメモリ（ＲＯＭ）、ランダムアクセスメモリ（ＲＡＭ）等を有するマイクロコンピュータのような情報処理デバイスである。ＲＯＭには構成各部を制御する制御プログラムが記憶されている。制御装置は、ＲＯＭに記憶されている制御プログラムを読み出し、ＲＡＭに展開することで、その機能を発現する。
【００３６】
入力装置３２は、ユーザによる入力操作を受けて印刷装置を操作するインターフェースである。入力装置３２は、ユーザに向けて入力指示、メッセージ等を表示する表示デバイス、注文番号等を入力するための表示デバイスの表面に設けられたタッチパネル等を有する。
【００３７】
通信装置３３は、ネットワーク５０を介してサーバ１０と相互に通信する装置である。通信装置３３は、ユーザにより入力装置３２を介して入力された注文番号等をサーバ１０に送信し、またサーバ１０から送信される写真の画像データを受信して、印刷装置３４に転送する。
【００３８】
印刷装置３４は、写真の画像データを用いて、印刷紙上に写真を印刷する画像形成装置である。印刷装置３４は、黒色のみの単色画像又は多色画像を形成する装置のいずれでもよいし、それらの両方を有することとしてもよい。本実施形態では、印刷装置３４は店頭端末３０内に備えられるとする。ただし、店頭端末３０と通信可能に接続され、店頭端末３０とは別の機器として店頭端末３０と同一の店頭に設置されるものとしてもよい。（例えば、店頭端末３０としてコンビニエンスストアに設置されたレジスタを用い、印刷装置３４をそのレジスタから制御することが可能である。）
【００３９】
複数の店頭端末３０は、それぞれを区別するために固有の端末番号が付され、ＲＯＭ等に記憶されている。
【００４０】
ネットワーク５０は、サーバ１０、ユーザ端末２０、及び複数の店頭端末３０を相互に通信可能に接続するネットワークである。ネットワーク５０は、一例としてインターネットであるとするが、これに限らず、これらの間で相互に通信することができれば、ローカルエリアネットワーク、電話回線等、任意の通信装置を採用することができる。
【００４１】
図２に、本実施形態に係る注文認証システム１において、ユーザからの注文を認証し、写真を印刷する注文認証方法の手順１００を示す。
【００４２】
処理１０２では、ユーザが、ユーザ端末２０を用いて写真の印刷を注文する。本実施形態では、一例として、ユーザが、サーバ１０が提供するホームページにアクセスし、印刷を注文する写真の画像データをサーバ１０に送信（アップロード）する。サーバ１０は、受信した画像データを用いて写真のサムネイル画像をホームページに表示する。ユーザは、写真のサムネイル画像を確認し、写真の印刷条件、決済手段、連絡手段等を入力して、これらの注文情報をサーバ１０に送信することで注文を確定する。
【００４３】
なお、写真の印刷条件は、各写真の印刷枚数、印刷紙のサイズ及び種類、モノクロ又はカラー印刷の別、色調、明度、コントラスト、彩度等、印刷に係る各種設定条件、これら各種設定条件、特に印刷枚数に基づいて定まる請求額を含む。また、決済手段は、例えばオンライン決済の場合、クレジットカードの有効期限、カード番号等を含むことができる。連絡手段は、サーバ１０から注文番号、解除番号をユーザに通知する手段であり、本実施形態では、ユーザの電子メールアドレスとする。なお、決済手段及び連絡手段の少なくとも一方は、前もって登録し、サーバ１０の記憶装置に記録してもよい。係る場合、ユーザ固有のユーザ番号を発行し、そのユーザ番号を注文時に入力することで、決済手段と連絡手段の入力に代用してよい。
【００４４】
なお、印刷を注文する写真の画像データがすでにサーバ１０に送信されている場合、画像データの送信を省略してもよい。係る場合、サーバ１０が記憶装置内に保持する画像データを、過去に発行した注文番号、或いはユーザ固有のユーザ番号等の入力を求め、これを用いて読み出してもよい。
【００４５】
（第１ステップ）
注文受信・注文番号発行手段（第１手段）１１ａによる処理１０４では、サーバ１０によりユーザからの注文が受け付けられる。サーバ１０は、処理１０２において写真の画像データに加えて注文情報を受信することでユーザからの注文を受け付ける。
【００４６】
注文受信・注文番号発行手段（第１手段）１１ａによる処理１０６では、サーバ１０により処理１０４で受け付けた注文を識別するための注文番号を発行し、記憶装置１２に注文番号を記憶する。サーバ１０は、注文受信・注文番号発行手段（第１手段）１１ａは通信装置１３により、処理１０４で発行した注文番号を、ユーザ端末２０に送信する。この際、処理１０２においてユーザが入力した（又は予め登録された）連絡手段を用いて、送信する。
【００４７】
（第２ステップ）
処理１０８では、店頭端末３０により注文番号の入力を受け付ける。ユーザは、処理１０６で注文番号が通知されると、写真の受け取りを希望する店舗に出向き、その店舗に設置された店頭端末３０の入力装置３２を操作して、注文番号を入力する。店頭端末３０は、注文番号が入力されると次の処理１１０に進む。
【００４８】
処理１１０では、店頭端末３０の通信装置３３は、処理１０８でユーザにより入力された注文番号と店頭端末３０に付された端末番号（処理１１６で送信される端末番号と区別するため、これを第１端末番号と呼ぶ）とをサーバ１０に送信する。サーバ１０は、注文番号・第１端末番号受信手段（第２手段）１１ｂによりこれらを受信して、記憶装置１２に記憶する。ただし、処理１０６において記憶された注文番号以外の注文番号については、記憶せずに店頭端末３０にエラーメッセージを送信するものとする。
【００４９】
（第３ステップ）
解除番号発行手段（第３手段）１１ｃによる処理１１２では、サーバ１０により解除番号を発行する。サーバ１０は、解除番号発行手段（第３手段）１１ｃにより、処理１１０で店頭端末３０から送信された注文番号と第１端末番号とを受信すると、これらの組み合わせに一意に対応する解除番号を発行し、注文番号、第１端末番号及び解除番号の組を記憶装置１２に記憶する。解除番号発行手段（第３手段）１１ｃは、通信装置１３により、処理１０２でユーザが入力した（又は予め登録された）連絡手段を用いてユーザ端末２０に送信する。
【００５０】
ここで、解除番号については、発行の都度異なる番号を、例えば乱数を用いて発生させる、いわゆる「ワンタイム」形式とすることが、解除番号の漏えい対策となり、セキュリティの上で好ましい。
【００５１】
（第４ステップ）
処理１１４では、店頭端末３０により解除番号の入力を受け付ける。ユーザは、処理１１２で解除番号が送信されると、ユーザ端末２０を用いてその解除番号を確認し、店頭端末３０の入力装置３２を操作して解除番号を入力する。なお、店頭端末３０は、常に、或いは処理１０８で注文番号の入力を受け付けてから一定時間が経過した場合等に、解除番号の入力とともに注文番号の再度の入力を求めてよい。店頭端末３０は、解除番号が入力されると次の処理１１６に進む。
【００５２】
処理１１６では、店頭端末３０の通信装置３３は、処理１１４でユーザにより入力された解除番号、処理１０８又は処理１１４でユーザにより入力された注文番号、及び店頭端末３０に付された端末番号（処理１１０で送信される端末番号と区別するため、これを第２端末番号と呼ぶ）とをサーバ１０に送信する。サーバ１０は、注文番号・第２端末番号受信手段（第４手段）１１ｄによりこれらを受信して、記憶装置１２に記憶する。
【００５３】
（第５ステップ）
解除番号認証手段（第５手段）１１eによる処理１１８では、注文番号並びに第１及び第２端末番号を用いて解除番号を認証する。解除番号認証手段（第５手段）１１eは、まず、注文番号を用いて先に処理１１０で店頭端末３０から送信された第１端末番号を特定する。解除番号認証手段（第５手段）１１eは、次に、処理１１６で送信された第２端末番号が、特定された第１端末番号に一致することを確認する。第１及び第２端末番号が一致する場合、注文番号が入力された店頭端末３０と解除番号が入力された店頭端末３０が同じであることを意味し、同じユーザにより同じ店頭端末３０が利用されているものと推認することができる。それに対して、第１及び第２端末番号が矛盾する場合、注文番号が入力された店頭端末３０と解除番号が入力された店頭端末３０が異なることを意味し、異なるユーザにより異なる店頭端末３０が利用されているものと推認することができる。解除番号認証手段（第５手段）１１eは、最後に、解除番号が注文番号及び第１端末番号に対応することを確認する。
【００５４】
サーバ１０は、第２端末番号が第１端末番号に一致し且つ解除番号が注文番号及び第１端末番号に対応する場合に、解除番号を認証し、（解除番号に対応する）注文番号により識別される注文の写真の画像データを第２端末番号が付された店頭端末３０に送信する。それ以外の場合、サーバ１０は、写真の印刷を拒否して手順１００を終了する。
【００５５】
処理１１８では、店頭端末３０により写真が印刷される。店頭端末３０の印刷装置３４は、処理１１８でサーバ１０から送信された写真の画像データを用いて、処理１０２で指定された印刷条件に従って印刷紙上に写真を印刷する。印刷された写真は、店頭端末３０の取り出し部に配出され、ユーザがそれを取り出すことで、手順１００が終了する。
【００５６】
以上詳細に説明したように、本実施形態に係る注文認証方法は、サーバ１０により、ユーザから写真の印刷の注文を受信し、注文を識別する注文番号をユーザが操作可能なユーザ端末２０に送信すること、サーバ１０に通信可能に接続された店頭端末３０により、ユーザにより店頭端末３０に入力される注文番号と店頭端末３０に付された第１端末番号とをサーバに送信すること、サーバ１０により、注文番号と第１端末番号とに対応する解除番号をユーザ端末２０に送信すること、サーバ１０に通信可能に接続された店頭端末３０により、ユーザにより店頭端末３０に入力される解除番号と店頭端末３０に付された第２端末番号とをサーバ１０に送信すること、及びサーバ１０により、注文番号並びに第１及び第２端末番号を用いて解除番号を認証して、写真の画像データを第２端末番号が付された店頭端末３０に送信することを含む。サーバ１０は、写真の画像データをサーバ１０から店頭端末３０に送信するための解除番号を、ユーザにより店頭端末３０に入力された注文番号がその店頭端末３０に付された第１端末番号とともに店頭端末３０から送信されることに応じて、ユーザ端末２０に送信する。それにより、解除番号が、注文番号と独立に、サーバ１０からユーザ端末２０に送信されるため、セキュリティが向上する。
【００５７】
また、本実施形態の注文認証方法は、サーバ１０により、第２端末番号が第１端末番号に一致し且つ解除番号が注文番号及び第１端末番号に対応することを確認することで解除番号を認証し、解除番号に対応する注文番号により識別される注文の写真の画像データを店頭端末３０に送信する。それにより、ユーザが注文番号を入力した店頭端末３０と解除番号を入力した店頭端末３０とが一致しない又は解除番号が注文番号及び第１端末番号に対応しないと解除番号は認証されないことで、セキュリティが向上する。
【００５８】
また、本実施形態の注文認証システムは、注文認証方法を実行することで、セキュリティが向上する。
【００５９】
なお、本実施形態では、ユーザ端末２０は、ユーザが所有し、操作可能なモバイル端末とした。ユーザは、店頭端末を操作しつつユーザ端末により注文番号及び解除番号を受信し、その注文番号及び解除番号を用いて店頭端末に入力することができる。ユーザ端末２０は、モバイル端末に限らず、ユーザ端末２０と同様の機能を有していれば、デスクトップＰＣ、ラップトップＰＣ等の端末機であってもよい。
【００６０】
なお、本実施形態では、写真を例に被印刷物の印刷を注文する場合について説明したが、被印刷物は写真に限らず、ユーザ端末２０内に記憶され、ネットワーク５０を介してサーバに送ることができ、店頭端末３０で印刷紙に印刷することができるデジタルコンテンツであればよい。本実施形態の注文認証システム及び方法により、ユーザが有するデジタルコンテンツの印刷をオンラインで注文することができる。
【００６１】
また、被印刷物は、ユーザが所有するデジタルコンテンツに限らず、例えば映画、コンサート等の催し物のチケット、電子情報材等であってもよく、係る場合、それらのデジタルコンテンツはサーバ１０に保持されても、あるいは注文に対応してサーバ１０において生成（例えばコンサートの座席番号をサーバ１０において付加）されてもよい。本実施形態の注文認証システム及び方法により、オンラインで注文された内容の対応するコンテンツを店頭端末３０で印刷することができる。
【００６２】
また、デジタルデータのフォーマットは、画像フォーマットに限らず、被印刷物を記憶し、店頭端末３０で印刷するのに適当であれば、例えば文書等のフォーマットでもよい。
【産業上の利用可能性】
【００６３】
本発明の注文認証方法及び注文認証システムは、被印刷物の印刷をオンラインで注文し、店頭端末で印刷するのに好適である。多くの印刷サービス業者、コンビニエンスストア等における利用が期待される。
【符号の説明】
【００６４】
１    注文認証システム
１０    サーバ
１１    制御装置
１１１  注文受信・注文番号発行手段（第１手段）
１１２  注文番号・第１端末番号受信手段（第２手段）
１１３  解除番号発行手段（第３手段）
１１４  注文番号・第２端末番号受信手段（第４手段）
１１５  解除番号認証手段（第５手段）
１２    記憶装置
１３    通信装置
２０    ユーザ端末
３０    店頭端末
３１    制御装置
３２    入力装置
３３    通信装置
３４    印刷装置
５０    ネットワーク
１００  手順
【図１】
2016212768.tif 000003
【図２】
2016212768.tif 000004